(57)【特許請求の範囲】
【請求項１】
空間多重で送信された複数の送信データを受信する受信装置に送信データを送信する送信方法であって、
前記各送信データの送信先に応じたチャネル情報に基づいて、前記送信データ毎に変調モードと送信電力割り当て、を決定する変調モード決定ステップと、
前記送信データ毎に、前記変調モード決定ステップにおいて決定された変調モードで信号が生成された場合の信号長を算出する信号長算出ステップと、
最も長い信号長となる送信データ以外の各送信データについて、前記最も長い信号長よりも短く且つ前記算出された信号長よりも信号長が長くなる新たな変調モードを前記受信装置において使用可能な変調モードから選択する変調モード変更ステップと、
前記変調モード変更ステップにおいて選択された前記新たな変調モードに基づいて、前記送信データから送信信号を生成する送信信号生成ステップと、
前記送信信号を無線で送信する送信ステップと、
を有する送信方法。
【請求項２】
最も長い信号長となる送信データ以外の各送信データに対応する各送信信号の送信電力について、前記選択ステップにおいて選択された前記新たな変調モードに基づいて、ノイズに対する耐性の基準を満たした上で、前記変調モード決定ステップで決定された送信電力割り当てよりも低く決定し、前記送信電力割り当てを更新する電力配分ステップをさらに有する、
ことを特徴とする請求項１に記載の送信方法。
【請求項３】
前記電力配分ステップにおいて、送信電力割り当てを減らす量を、前記変調モード変更ステップにおいて選択された前記新たな変調モードに変更することで得られる所要信号対雑音電力比の減少分以下の値となるように、前記送信電力割り当てを更新する
ことを特徴とする請求項１に記載の送信方法。
【請求項４】
前記電力配分ステップにおいて、最も長い信号長となる送信データ以外の各送信データに対応する各送信信号の送信電力と前記変調モード決定ステップで決定された送信電力割り当てとの差分に相当する送信電力の一部又は全部を、前記最も長い信号長となる送信信号の送信電力に割り当てるように、前記送信電力割り当てを更新する
ことを特徴とする請求項２に記載の送信方法。
【請求項５】
空間多重で送信された複数の送信データを受信する受信装置に送信データを送信する送信装置であって、
前記各送信データの送信先に応じたチャネル情報に基づいて、前記送信データ毎に変調モードと送信電力割り当てを決定する変調モード決定部と、
前記送信データ毎に、前記変調モード決定部によって決定された変調モードで信号が生成された場合の信号長を算出し、最も長い信号長となる送信データ以外の各送信データについて、前記最も長い信号長よりも短く且つ前記算出された信号長よりも信号長が長くなる新たな変調モードを前記受信装置において使用可能な変調モードから選択する信号長評価部と、
前記信号長評価部によって選択された前記新たな変調モードに基づいて、前記送信データから送信信号を生成する送信信号生成部と、
前記送信信号を無線で送信する無線信号送信部と、
を備える送信装置。
【請求項６】
最も長い信号長となる送信データ以外の各送信データに対応する各送信信号の送信電力について、前記信号長評価部によって選択された前記新たな変調モードに基づいて、ノイズに対する耐性の基準を満たした上で、前記変調モード決定部で決定された送信電力割り当てよりも低く決定し、前記送信電力割り当てを更新する電力配分部をさらに備える、
ことを特徴とする請求項５に記載の送信装置。
【請求項７】
前記電力配分部は、送信電力の割り当てを減らす量を、前記信号長評価部において選択された前記新たな変調モードに変更することで得られる所要信号対雑音電力比の減少分以下の値となるように、前記送信電力割り当てを更新する
ことを特徴とする請求項５に記載の送信装置。
【請求項８】
前記電力配分部は、最も長い信号長となる送信データ以外の各送信データに対応する各送信信号の送信電力と前記変調モード決定ステップで決定された送信電力割り当てとの差分に相当する送信電力の一部又は全部を、前記最も長い信号長となる送信信号の送信電力に割り当てるように前記送信電力割り当てを更新する
ことを特徴とする請求項６に記載の送信装置。
【発明の詳細な説明】
【技術分野】
【０００１】
本発明は、空間多重を用いて複数の送信データを同時に通信する無線通信技術に関する。
【背景技術】
【０００２】
近年、２．４ＧＨｚ帯または５ＧＨｚ帯を用いた高速無線アクセスシステムとして、ＩＥＥＥ８０２．１１ｇ規格、ＩＥＥＥ８０２．１１ａ規格などの普及が目覚しい。これらのシステムでは、マルチパスフェージング環境での特性を安定化させるための技術である直交周波数分割多重（ＯＦＤＭ：Orthogonal Frequency Division Multiplexing）変調方式を用い、最大で５４Ｍｂｐｓの物理層伝送速度を実現している。
【０００３】
ただし、ここでの伝送速度とは物理レイヤ上での伝送速度である。ＭＡＣ（Medium Access Control）レイヤでの伝送効率は５０〜７０％程度であるため、実際のスループットの上限値は３０Ｍｂｐｓ程度である。その上、情報を必要とする通信相手が増えればこの特性は更に低下する。一方で、各家庭にも光ファイバを用いたＦＴＴＨ（Fiber to the home）が普及したことにより、有線ＬＡＮ（Local Area Network）の世界ではＥｔｈｅｒｎｅｔ（登録商標）の１００Ｂａｓｅ−Ｔインタフェースをはじめ、１００Ｍｂｐｓの高速回線の提供が普及している。そのため、無線ＬＡＮの世界においても更なる伝送速度の高速化が求められている。
【０００４】
そのための技術として、ＩＥＥＥ８０２．１１ｎにおいて、空間多重送信技術としてＭＩＭＯ（Multiple input multiple output）技術が導入された。さらに、ＩＥＥＥ８０２．１１ａｃでは、マルチユーザＭＩＭＯ（ＭＵ−ＭＩＭＯ）通信方法が検討されている（非特許文献１）。下り回線におけるＭＵ−ＭＩＭＯ通信では、複数の端末に対し、同一タイムスロット、同一周波数チャネルで送信が行われる。
【０００５】
図５は、従来のＭＵ−ＭＩＭＯによる送受信システムの構成を示す図である。図５に示す送受信システムは、基地局９と複数台の端末９８（９８−１〜９８−Ｍ）を備える。基地局９は、データ選択・出力回路９１、送信信号生成回路９２、無線信号送受信回路９３、複数のアンテナ９４（９４−１〜９４−Ｎ）、受信信号復調回路９５、チャネル情報記憶回路９６、変調モード決定回路９７を備える。Ｍは端末装置９８の台数を表し、Ｎは基地局９のアンテナ９４の数を表す。
【０００６】
基地局９から端末装置９８への送信において、データ選択・出力回路９１は、通信相手となる１又は複数の端末装置９８を決定し、決定した通信相手へ送信する１又は複数の情報（送信データ）を送信信号生成回路９２に出力する。同一のタイミングで出力された一組の送信データは、同一のタイムスロット且つ同一の周波数チャネルで空間多重により送信される。また、データ選択・出力回路９１は、通信相手となる端末装置９８を表す情報を、変調モード決定回路９７に出力する。
【０００７】
変調モード決定回路９７は、チャネル情報記憶回路９６が記憶しているチャネル情報を用いて、通信相手への空間多重数、送信ウエイト、変調方式、符号化率、送信電力割り当てを決定する。また、変調モード決定回路９７は、チャネル情報に基づいて通信相手を選択し、データ選択・出力回路９１に通信相手を示す情報を出力することで、当該通信相手の送信データを選択させても良い。また、変調モード決定回路９７は、データ選択・出力回路９１で選択されている通信相手の中から、実際に送信する通信相手を選んでも良い。変調モード決定回路９７は、決定した空間多重数、送信ウエイト、変調方式、符号化率、送信電力割り当てを送信信号生成回路９２に出力する。ここで、送信電力割り当ては、常に等電力配分とすることもできる。
【０００８】
送信信号生成回路９２は、変調モード決定回路９７によって決められた空間多重数、送信ウエイト、変調方式、符号化率を用いて、送信データに変調・符号化を行い、実データ部分信号を生成する。実データ部分信号とは、送信データ（実データ）を変調・符号化することによって生成される信号であり、他の信号（トレーニング信号やパディングなど）を含まない信号である。実データ部分信号に対して他の制御信号等が付加されることによって、実際に送信される対象となる信号（送信信号）が生成される。
【０００９】
送信信号生成回路９２は、実データ部分信号に対し送信ウエイトを乗算し、信号検出や通信情報伝達に用いるパイロット信号（既知信号）やｐａｄｄｉｎｇを挿入して、送信信号を生成する。送信信号生成回路９２は、生成した送信信号を無線信号送受信回路９３へ出力する。無線信号送受信回路９３は、入力された送信信号を搬送波周波数にアップコンバートし、アンテナ９４−１〜９４−Ｎを介して送信する。このとき、無線信号送受信回路９３は、各送信データについて生成された各送信信号を、少なくとも一つのアンテナ９４を介して送信する。
【００１０】
基地局９のアンテナ９４から送信された各送信信号は、各端末装置９８によって受信される。各端末装置９８は、自装置宛ての送信信号を選択して復号化・復調する。
端末装置９８から送信される信号は、アンテナ９４−１〜９４−Ｎを介して受信される。無線信号送受信回路９３は、受信された信号をベースバンド信号に変換し、デジタル信号を取得する。受信信号復調回路９５は、データの復調とチャネル情報の推定を行う。
【先行技術文献】
【非特許文献】
【００１１】
【非特許文献１】IEEE、 “Proposed specification framework for TGac,” doc.: IEEE 802.11-09/0992r21、２０１１年１月
【発明の概要】
【発明が解決しようとする課題】
【００１２】
しかしながら、端末装置９８宛ての各送信信号の長さは必ずしも同じにならない。そのため、ＭＵ−ＭＩＭＯ通信は、送信する複数の端末装置９８宛てのパケット信号のうち、その一部しか多重できないという問題があった。詳しくは以下の通りである。
【００１３】
従来のＭＵ−ＭＩＭＯ通信では、通信相手となる端末装置９８に対して生成される送信信号の信号長は必ずしも同じとは限らない。図６は、従来のＭＵ−ＭＩＭＯにける通信で複数の通信相手に送信される送信信号の概略を示す図である。図６に示される例では、一組の送信データとして、端末装置９８−１、９８−２、９８−３に送信される各送信データが処理の対象となる。図６において、ＳＴは、タイミング同期のためのショート・トレーニング・シンボルを示す。ＬＴは、周波数同期及びチャネル情報推定のためのロング・トレーニング・シンボルを示す。ｘＬＴは、送信ウエイトを含む各端末装置９８へのチャネル情報を推定するためのトレーニングシンボルを示す。Data for STA 1〜3は、それぞれ通信相手となる端末装置９８−１、９８−２、９８−３に対し送信される送信データから生成された信号（実データ部分信号）を示す。Ｐａｄｄｉｎｇはダミーの信号であり、最も長い信号長の送信信号に合わせて送信信号に付加される。
【００１４】
ＭＵ−ＭＩＭＯのメリットを得ることができるのは、Data for STA 1〜3の送信信号のうち、複数の端末に対して同時に送信が行われている時間帯の送信信号のみである。したがって、Data for STA 1〜3のうちData for STA 1の送信信号しか送信されていない時間帯（Ｔ１）では、単に端末装置９８−１への送信電力が低下しているだけであり、ＭＵ−ＭＩＭＯとしてのメリットは得られない。それどころか、周波数利用効率はシングルユーザＭＩＭＯに比べて低下してしまう。
【００１５】
上記事情に鑑み、本発明は、複数の送信データを空間多重で無線通信する場合に、各通信相手への送信ビットが不均一である場合にも、ＭＵ−ＭＩＭＯが有効に活用できる技術を提供することを目的としている。
【課題を解決するための手段】
【００１６】
本発明の一態様は、複数の送信データを空間多重で送信する送信方法であって、前記各送信データの送信先に応じたチャネル情報に基づいて、前記送信データ毎に変調モードと送信電力割り当て、を決定する変調モード決定ステップと、前記送信データ毎に、前記変調モード決定ステップにおいて決定された変調モードで信号が生成された場合の信号長を算出する信号長算出ステップと、最も長い信号長となる送信データ以外の各送信データについて、前記最も長い信号長よりも短く且つ前記算出された信号長よりも信号長が長くなる新たな変調モードを選択する変調モード変更ステップと、前記変調モード変更ステップにおいて選択された前記新たな変調モードに基づいて、前記送信データから送信信号を生成する送信信号生成ステップと、前記送信信号を無線で送信する送信ステップと、を有する。
【００１７】
本発明の一態様は、上記の送信方法であって、最も長い信号長となる送信データ以外の各送信データに対応する各送信信号の送信電力について、前記選択ステップにおいて選択された前記新たな変調モードに基づいて、ノイズに対する耐性の基準を満たした上で、前記変調モード決定ステップで決定された送信電力割り当てよりも低く決定し、前記送信電力割り当てを更新する電力配分ステップをさらに有する、ことを特徴とする。
【００１８】
本発明の一態様は、上記の送信方法であって、前記電力配分ステップにおいて、送信電力割り当てを減らす量を、前記変調モード変更ステップにおいて選択された前記新たな変調モードに変更することで得られる所要信号対雑音電力比の減少分以下の値となるように、前記送信電力割り当てを更新することを特徴とする。
【００１９】
本発明の一態様は、上記の送信方法であって、前記電力配分ステップにおいて、最も長い信号長となる送信データ以外の各送信データに対応する各送信信号の送信電力と前記変調モード決定ステップで決定された送信電力割り当てとの差分に相当する送信電力の一部又は全部を、前記最も長い信号長となる送信信号の送信電力に割り当てるように、前記送信電力割り当てを更新することを特徴とする。
【００２０】
本発明の一態様は、複数の送信データを空間多重で送信する送信装置であって、前記各送信データの送信先に応じたチャネル情報に基づいて、前記送信データ毎に変調モードと送信電力割り当てを決定する変調モード決定部と、前記送信データ毎に、前記変調モード決定部によって決定された変調モードで信号が生成された場合の信号長を算出し、最も長い信号長となる送信データ以外の各送信データについて、前記最も長い信号長よりも短く且つ前記算出された信号長よりも信号長が長くなる新たな変調モードを選択する信号長評価部と、前記信号長評価部によって選択された前記新たな変調モードに基づいて、前記送信データから送信信号を生成する送信信号生成部と、前記送信信号を無線で送信する無線信号送信部と、を備える。
【００２１】
本発明の一態様は、上記の送信装置であって、最も長い信号長となる送信データ以外の各送信データに対応する各送信信号の送信電力について、前記信号長評価部によって選択された前記新たな変調モードに基づいて、ノイズに対する耐性の基準を満たした上で、前記変調モード決定部で決定された送信電力割り当てよりも低く決定し、前記送信電力割り当てを更新する電力配分部をさらに備える、ことを特徴とする。
【００２２】
本発明の一態様は、上記の送信装置であって、前記電力配分部は、送信電力の割り当てを減らす量を、前記信号長評価部において選択された前記新たな変調モードに変更することで得られる所要信号対雑音電力比の減少分以下の値となるように、前記送信電力割り当てを更新することを特徴とする。
【００２３】
本発明の一態様は、上記の送信装置であって、前記電力配分部は、最も長い信号長となる送信データ以外の各送信データに対応する各送信信号の送信電力と前記変調モード決定ステップで決定された送信電力割り当てとの差分に相当する送信電力の一部又は全部を、前記最も長い信号長となる送信信号の送信電力に割り当てるように前記送信電力割り当てを更新することを特徴とする。
【発明の効果】
【００２４】
本発明により、複数の送信データを空間多重で無線通信する場合において、実データ部分の信号長の不均一を低減させることが可能となる。そのため、通信品質の低下を抑止することが可能となる。
【図面の簡単な説明】
【００２５】
【図１】本願発明の一実施形態に係る送受信システムの構成を示す図である。
【図２】ＭＣＳインデックスの具体例を示す図である。
【図３】信号長評価送信制御回路の処理の具体例を示す図である。
【図４】基地局の送信処理の流れを示すフローチャートである。
【図５】従来のＭＵ−ＭＩＭＯによる送受信システムの構成を示す図である。
【図６】従来のＭＵ−ＭＩＭＯにける通信で複数の通信相手に送信される送信信号の概略を示す図である。
【発明を実施するための形態】
【００２６】
図１は、本願発明の一実施形態に係る送受信システムの構成を示す図である。図１に示す送受信システムは、基地局１と複数台の端末２（２−１〜２−Ｍ）を備える。基地局１は、データ選択・出力回路１１、送信信号生成回路１２、無線信号送受信回路１３、複数のアンテナ１４（１４−１〜１４−Ｎ）、受信信号復調回路１５、チャネル情報記憶回路１６、変調モード決定回路１７、信号長評価送信制御回路１８、電力配分制御回路１９を備える。Ｍは端末装置２の台数を表し、Ｎは基地局１のアンテナ１４の数を表す。
【００２７】
基地局９は、バスで接続されたＣＰＵ（Central Processing Unit）やメモリや補助記憶装置などを備え、通信プログラムを実行することによって、以下に説明するような基地局１として機能する。なお、基地局１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。通信プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、通信プログラムは通信伝送路を介して送受信されても良い。
【００２８】
基地局１から端末装置２への送信において、データ選択・出力回路１１は、通信相手となる１又は複数の端末装置１８を決定し、決定した通信相手へ送信する１又は複数の情報（送信データ）を送信信号生成回路１２及び信号長評価送信制御回路１８に出力する。同一のタイミングで出力された一組の送信データは、同一のタイムスロット且つ同一の周波数チャネルで空間多重により送信される。また、データ選択・出力回路１１は、通信相手となる端末装置２を表す情報を、変調モード決定回路１７に出力する。
【００２９】
チャネル情報記憶回路１６は、端末装置２及びアンテナ１４の組合せ毎に、そのアンテナ１４とその端末装置２との間における無線通信のチャネル情報を記憶する。端末装置２が複数のアンテナを備える場合には、さらに端末装置２の備えるアンテナ毎にチャネル情報が記憶される。各チャネル情報は、基地局１と端末装置２との間の無線通信に応じて推定され、チャネル情報記憶回路１６に記録される。例えば、受信信号復調回路１５は、端末装置２及びアンテナ１４の組合せ毎に、その組合せで行われた無線通信の信号に基づいてチャネル情報を推定する。
【００３０】
変調モード決定回路１７は、チャネル情報記憶回路１６が記憶しているチャネル情報を用いて、通信相手への空間多重数、送信ウエイト、変調モード、送信電力割り当てを決定する。変調モードは、変調方式及び符号化率のいずれか一方又は双方を含む情報である。以下の説明では、変調モードという表現を用いず、変調方式及び符号化率という文言を用い、変調モード決定回路１７が変調方式及び符号化率の双方を決定する構成について説明する。変調モード決定回路１７は、決定した空間多重数、送信ウエイト、変調方式、符号化率、送信電力割り当てを信号長評価送信制御回路１８に出力する。また、変調モード決定回路１７は、チャネル情報に基づいて通信相手を選択し、データ選択・出力回路１１に通信相手を示す情報を出力することで、当該通信相手の送信データを選択させても良い。また、変調モード決定回路１７は、データ選択・出力回路１１で選択されている通信相手の中から、実際に送信する通信相手を選んでも良い。また、変調モード決定回路１７が決める送信電力割り当ては、例えば全ての送信信号に対して常に等しい電力を配分しても良いし、送信信号毎に異なる送信電力を配分しても良い。送信信号毎に異なる送信電力を配分する場合、変調モード決定回路１７は、例えば変調方式や符号化率に応じて送信電力を配分しても良い。
【００３１】
信号長評価送信制御回路１８は、まず、空間多重で送信される一組の送信データそれぞれについて、変調モード決定回路１７によって決定された変調方式及び符号化率に基づいて生成される各送信信号の信号長を算出する。信号長評価送信制御回路１８は、算出結果に基づいて、各送信データに適用される変調方式及び符号化率を変更するか否か評価する。なお、本実施形態では、信号長評価送信制御回路１８は、変調方式及び符号化率の組合せを示すＭＣＳインデックスを変更することによって、各送信データに適用される変調方式及び符号化率を変更する。
【００３２】
図２は、ＭＣＳインデックスの具体例を示す図である。図２において、MCS IndexはＭＣＳインデックスの識別番号を示す。Modulationは変調方式を示す。Rateは符号化率を示す。Minimum sensitivityは、最小検出感度を表し、単位はｄＢｍである。各ＭＣＳインデックスは、少なくとも変調方式及び符号化率の値の組合せを有する。
【００３３】
図１に戻って基地局１の構成の説明を続ける。信号長評価送信制御回路１８の具体的な動作は以下の通りである。まず、信号長評価送信制御回路１８は、一組の送信データそれぞれについて、変調モード決定回路１７によって決定された変調方式及び符号化率で生成される実データ部分信号の信号長（以下、「基準信号長」という。）を算出する。信号長評価送信制御回路１８は、基準信号長が最も長い実データ部分信号を検出する。なお、以下の説明では、最も長い実データ部分信号の基準信号長を「最長信号長Ｄ」と表す。
【００３４】
次に、信号長評価送信制御回路１８は、最長信号長Ｄよりも短い信号長の実データ部分信号（以下、「被調整信号」という。）毎に、最長信号長Ｄよりも短い信号長の中で基準信号長よりも長い信号長となるＭＣＳインデックス（すなわち、変調方式及び符号化率の組合せ）を選択する。基準信号長よりも長い信号長となるＭＣＳインデックスは、変調モード決定回路１７によって決定されたＭＣＳインデックスよりもビットレートが低いＭＣＳインデックスである。このとき、信号長評価送信制御回路１８は、被調整信号毎に、最長信号長Ｄよりも短い信号長となる条件の中で最も長い信号長となるＭＣＳインデックス（すなわち、変調方式及び符号化率の組合せ）を選択しても良い。
【００３５】
そして、信号長評価送信制御回路１８は、各送信データについて、選択したＭＣＳインデックスに対応する変調方式及び符号化率を、送信信号生成回路１２及び電力配分制御回路１９へ出力する。このとき、信号長評価送信制御回路１８は、信号長が最長信号長Ｄとなる送信データについては、変調モード決定回路１７によって決定された変調方式及び符号化率をそのまま出力する。また、信号長評価送信制御回路１８は、各送信データについての空間多重数及び送信ウエイトを送信信号生成回路１２に出力する。
【００３６】
送信信号生成回路１２は、信号長評価送信制御回路１８によって決められた空間多重数、送信ウエイト、変調方式、符号化率を用いて、送信データに変調・符号化を行い、実データ部分信号を生成する。送信信号生成回路１２は、実データ部分信号に対し送信ウエイトを乗算し、信号検出や通信情報伝達に用いるパイロット信号（既知信号）やｐａｄｄｉｎｇを挿入して、送信信号を生成する。送信信号生成回路１２は、生成した送信信号を無線信号送受信回路１３へ出力する。
【００３７】
電力配分制御回路１９は、各送信信号に配分される送信電力を決定し、決定された送信電力を表す情報を無線信号送受信回路１３に出力する。電力配分制御回路１９によって決定された送信電力に応じて、変調モード決定回路１７によって決定された送信電力割り当てが変更される。常に各端末装置に対して等電力配分、または各データストリームに対して等電力配分とする場合には、この電力配分制御回路１９を省略することもできる。
無線信号送受信回路１３は、入力された送信信号を搬送波周波数にアップコンバートし、電力配分制御回路１９によって決定された送信電力で各送信信号をアンテナ１４−１〜１４−Ｎを介して送信する。このとき、無線信号送受信回路１３は、各送信データについて生成された各送信信号を、少なくとも一つのアンテナ１４を介して送信する。
【００３８】
データ選択・出力回路１１が通信相手を選択する方法としては以下のような方法がある。送信されるデータ（送信データ）がメモリに保存され、送信を行う準備ができている通信相手を所定のタイミング毎に選択する方法。メモリに保存されている複数の送信データのうち、最も古いデータに対応する通信相手から順に所定のタイミング毎に選択する方法。各端末装置２のＱｏＳ（Quality of service）に基づいて所定のタイミング毎に選択する方法。予めグループＩＤで決められた端末装置２の組み合わせを所定のタイミング毎に選択する方法。チャネル情報の相関が低い端末装置２の組み合わせを所定のタイミング毎に選択する方法。通信相手を選択する方法は、上述したいずれかの方法に限定される必要は無く、他の方法であっても良い。
【００３９】
基地局１のアンテナ１４から送信された各送信信号は、各端末装置２によって受信される。各端末装置２は、自装置宛ての送信信号を選択して復号化・復調する。
端末装置２から送信される信号は、アンテナ１４−１〜１４−Ｎを介して受信される。無線信号送受信回路１３は、受信された信号をベースバンド信号に変換し、デジタル信号を取得する。受信信号復調回路１５は、データの復調とチャネル情報の推定を行う。そして、受信信号復調回路１５は、推定したチャネル情報をチャネル情報記憶回路１６に書き込む。書き込まれたチャネル情報は、以降の処理において変調モード決定回路１７によって用いられる。
【００４０】
図３は、信号長評価送信制御回路１８の処理の具体例を示す図である。以下、図３に示される具体例について説明する。
基地局１が通信相手として端末装置２−１〜２−３（以下、それぞれ「ＳＴＡ１」〜「ＳＴＡ３」とも表す）へ空間多重により送信データを送信することを決定すると、変調モード決定回路１７は、それぞれの通信相手との間の伝搬路に関するチャネル情報に基づいて、通信相手毎に空間多重数とＭＣＳインデックス（変調方式及び符号化率）と送信ウエイトとを決定する。図３の場合、変調モード決定回路１７は、端末装置２−１、端末装置２−２、端末装置２−３の空間多重数は、それぞれ２、１、１と決定する。また、変調モード決定回路１７は、変調方式及び符号化率を表すＭＣＳインデックスを、それぞれ７、６、５と決定する。
【００４１】
信号長評価送信制御回路１８は、変調モード決定回路１７によって決定されたＭＣＳインデックス及び空間多重数と、各送信データのデータ量とに基づいて、各送信データの実データ部分信号の信号長を算出する。図３Ａは、変調モード決定回路１７によって決定されたＭＣＳインデックス及び空間多重数に基づいて算出される信号長の具体例を示す図である。図３Ａの例では、端末装置２−２と端末装置２−３への実データ部分信号の信号長が、最長信号長Ｄよりも短い。そのため、もしこのままの信号長で各送信信号が送信される場合には、図３Ａに示されるように、端末装置２−２と端末装置２−３への実データ部分信号の後半部分にＰａｄｄｉｎｇが挿入される。
【００４２】
図３Ｂは、信号長評価送信制御回路１８によるＭＣＳインデックスの選択結果の具体例を示す図である。信号長評価送信制御回路１８は、最長信号長Ｄよりも短い信号長の実データ部分信号（Data for STA 2及びData for STA 3）それぞれについて、最長信号長Ｄよりも短い信号長の中で最も長い信号長となるＭＣＳインデックスを選択する。
【００４３】
Data for STA 2に対応するＭＣＳインデックスを、６（６４−ＱＡＭ、符号化率３／４）から０、１、２、３、４、５にそれぞれ変更すると、データレートを１１．１％、２２．２％、３３．３％、４４．４％、６６．７％、８８．９％にすることができる。データレートの低下分に応じて信号長を伸ばす必要がある。そのため、各実データ部分信号の信号長は、それぞれ９倍、４．５倍、３倍、２．２５倍、１．５倍、１．１２５倍となる。ここで、最長信号長Ｄに対しData for STA 2の信号長が７／８だったとする。この場合、ＭＣＳインデックスを５として信号長が１．１２５倍になっても、Data for STA 2の信号長は最長信号長Ｄよりも短い。一方、ＭＣＳインデックスを４として信号長が１．５倍になると、Data for STA 2の信号長は最長信号長Ｄよりも長くなってしまう。したがって、Data for STA 2について、最長信号長Ｄよりも短い信号長の中で最も長い信号長となるＭＣＳインデックスは、５である。そのため、信号長評価送信制御回路１８は、Data for STA 2に対応するＭＣＳインデックスとして５を選択する。
【００４４】
Data for STA 3に対応するＭＣＳインデックスを、５（６４−ＱＡＭ、符号化率２／３）から０、１、２、３、４にそれぞれ変更すると、各実データ部分信号の信号長は、それぞれ８倍、４倍、２．６７倍、２倍、１．３３倍となる。ここで、最長信号長Ｄに対しData for STA 3の信号長が１／３だったとする。この場合、ＭＣＳインデックスを２として信号長が２．６７倍になっても、Data for STA 3の信号長は最長信号長Ｄよりも短い。一方、ＭＣＳインデックスを１として信号長が４倍になると、Data for STA 3の信号長は最長信号長Ｄよりも長くなってしまう。したがって、Data for STA 3について、最長信号長Ｄよりも短い信号長の中で最も長い信号長となるＭＣＳインデックスは、２である。そのため、信号長評価送信制御回路１８は、ＭＣＳインデックスとして２を選択する。
【００４５】
上述した信号長評価送信制御回路１８の処理によって選択されたＭＣＳインデックスに基づいて送信信号生成回路１２が送信信号を生成すると、図３Ｂに示されるような送信信号が生成される。図３Ｂに示されるように、最長信号長Ｄよりも短い信号長の実データ部分信号（Data for STA 2及びData for STA 3）の信号長と最長信号長Ｄとの差が小さくなっている。そのため、より長い時間に亘ってＭＵ−ＭＩＭＯによる通信が可能となる。また、端末装置２−２及び端末装置２−３において、変調モードがよりビットレートの低いものに変更されるため、それぞれのＳＮＲマージンが増大され、誤りの少ない通信が期待できる。
【００４６】
また、端末装置２−２と端末装置２−３に対し、増大したＳＮＲマージンの一部を用いて、端末装置２−１に対する通信品質を向上することもできる。以下、詳細に説明する。
端末装置２−２に対して送信される送信信号は、ＭＣＳインデックスが６から５に変更されたことにより、最小検出感度が１ｄＢ下がる。同様に、端末装置２−３に対して送信される送信信号は、ＭＣＳインデックスが５から２に変更されたことにより、最小検出感度が１１ｄＢ下がる。このことは、端末装置２−２と端末装置２−３への送信電力を、変調モード決定回路１７で決定された送信電力の割り当てよりも、それぞれ最大で１ｄＢ、１１ｄＢ下げることができることを示している。
【００４７】
ｉ番目の端末装置２−ｉにおいて、ｊ番目の周波数チャネルにおける受信信号ベクトルは以下の式１のように表せる。
【００４８】
【数１】
0005647085.tif 000002
【００４９】
ｙｉ，ｊ，ｍは、端末装置２−ｉのｍ番目の受信アンテナの受信信号を表す。なお、以下の説明では、［］で囲まれた文字は、数式におけるベクトルを示す太字を示す。［Ｈ］ｉ，ｊは、ｊ番目の周波数チャネルにおける基地局１のアンテナと、端末装置２−ｉのアンテナとの間の伝搬係数からなるチャネル行列である。［Ｗ］ｉ，ｊは、ｊ番目の周波数チャネルにおける端末装置２−ｉへの送信ウエイトである。［Ｐ］ｉ，ｊは、ｊ番目の周波数チャネルにおける端末装置２−ｉへの送信電力配分行列である。［Ｗ］ｉ，ｊは、端末装置２−ｉ以外の端末装置２−ｋ（ｉとｋとは異なる値）に対し、ヌルを向けるように決定される。
【００５０】
また、基地局１で送信ウエイト演算に用いたチャネル行列の情報が推定誤差を含まない場合、式１の右辺第２項は０となる。しかし、実際には、チャネル情報には必ず誤差が含まれるため、式１の右辺第２項は０にはならず、ユーザ間干渉電力として通信品質の劣化が引き起こされる。ただし、ＭＵ−ＭＩＭＯのアルゴリズムによっては、ユーザ間干渉が式１の右辺第２項とは必ずしも一致しないことはあるが、基地局１におけるチャネル推定誤差によりユーザ間干渉を生じることはいずれのＭＵ−ＭＩＭＯアルゴリズムでも同様である。式１において、右辺第１項は端末装置２−ｉで受信される所望信号（端末装置２−ｉへの送信信号）の受信電力に対応する。そのため、［Ｐ］ｉ，ｊを大きく設定すれば、所望信号の受信電力を大きくし、通信品質を向上することができる。一方、［Ｐ］ｋ，ｊを小さくすれば、端末装置２−ｉにおけるユーザ間干渉を低下させることができる。
【００５１】
図３の例において、基地局１から三つの端末装置２−１〜２−３に対する送信電力の配分が均等割り当て（つまり１／３ずつの割り当て）だと仮定する。この場合、端末装置２−２及び端末装置２−３における送信電力の配分をそれぞれ、予め変調モード決定回路１７で決定された送信電力割り当て（１／３ずつの割り当て）より、１ｄＢ、１１ｄＢ低下させると、端末装置２−１以外の端末装置への送信信号（ユーザ干渉を引き起こす信号）の電力を４６％にまで下げることができる。そのため、端末装置２−１におけるユーザ間干渉を５６％低下させる効果が期待できる。
【００５２】
また、低下させた送信電力を更に端末装置２−１への送信に用いることによって、端末装置２−１へ向けた信号送信における送信電力を増加させることができる。ただし、端末装置２−１への送信電力を増大させれば、端末装置２−２及び端末装置２−３のユーザ間干渉が増大する。そのため、図３の例で端末装置２−２及び端末装置２−３への送信電力をそれぞれ１ｄＢ、１１ｄＢ低下させることが可能であったとしても、この分を全て端末装置２−１への送信電力に回してしまうと、端末装置２−２及び端末装置２−３においてユーザ間干渉が増大してしまい、受信精度の低下を招いてしまう。
各端末装置２における送信電力の調整値をα１〜α３とすると、ｉ番目の端末装置２（２−ｉ）におけるＳＩＮＲｉは、以下の式２のように定義される。
【００５３】
【数２】
0005647085.tif 000003
【００５４】
ここで、Ｓｉは送信電力を各端末装置２に対して均等に配分した場合に端末装置２−ｉで受信される所望信号（端末装置２−ｉへの送信信号）の受信電力である。Ｉｉは、送信電力を各端末装置２に対して均等に配分した場合に端末装置２−ｉで受信される干渉信号（端末装置２−ｉ以外の端末装置２への信号）の受信電力（干渉電力）である。Ｎｉは、熱雑音の電力である。Ｋは、基地局１が同時に通信を行う端末装置２の台数である。αｋ＝１と全てのｋに対して設定すると、各端末装置２に対して均等に送信電力を配分した場合に対応することとなる。Ｓｉは端末装置２−iとの位置関係で決まっており、上りや下り回線の受信電力に基づいて推定することができる。Ｉｉは、チャネルの推定誤差により決まるため、基地局において予め決定する必要がある。この値は、端末装置２において、ユーザ間干渉やＳＩＮＲを推定し、基地局１にフィードバックしてもよい。また、この値は、上り回線や下り回線のチャネルの時間変動量から時間変動が大きいほど大きい値とするように基地局１で決定しても良い。また、この値は、熱雑音量に対してどのくらいの大きさとなるかを予め固定値として記憶しておいても良い。
【００５５】
ＳＮＲのマージンが生じたことによる送信電力の配分の低下分を、最長信号長Ｄに対応する端末装置（図３の場合は端末装置２−１）への送信信号で用いる場合には、新たな電力配分により得られるＳＩＮＲが、所要値を満たす必要がある。Ｉｉが、Ｎｉの１／１０であったとすると、自端末装置以外の端末装置への電力割り当てが２倍になった場合、熱雑音と干渉電力の和は最大で０．３７７９ｄＢ増加する。よって、端末装置２−２と端末装置２−３への送信電力の配分に、ＭＣＳインデックスのＳＮＲマージンのみから得られた値に補正を加え、１−０．３７７９＝０．６２２ｄＢ、１１−０．３７７９ｄＢ＝１０．６２２ｄＢ、予め変調モード決定回路で決定された送信電力割り当てより、低下させるように制御することもできる。このような電力の配分によって、端末装置２−１への電力割り当てを２．０６倍にすることもできる。電力配分制御回路１９は、このような処理に基づいて、ユーザ間干渉の増大を考慮して、各送信信号に対して用いる送信電力を決定する。
【００５６】
図４は、基地局１の送信処理の流れを示すフローチャートである。まず、ＭＵ−ＭＩＭＯ通信の通信相手が決定し、各端末装置２のチャネル情報の収集が行われると、送信処理が開始される。まず、変調モード決定回路１７が、チャネル情報記憶回路１６に記憶されているチャネル情報に基づいて、空間多重数とＭＣＳインデックスと送信電力割り当てを決定する（ステップＳ３０１）。送信電力割り当ては等電力配分として、予め設定されていても良い。信号長評価送信制御回路１８は、各端末装置２に送信される実データ部分信号の信号長を算出する（ステップＳ３０２）。信号長評価送信制御回路１８は、被調整信号毎に、最長信号長Ｄよりも短い信号長の中で最も長い信号長となるＭＣＳインデックスを選択する。
【００５７】
信号長評価送信制御回路１８によって選択されたＭＣＳインデックスが、変調モード決定回路１７によって選択されたＭＣＳインデックスと全て一致する場合（ステップＳ３０３−Ｎｏ）、信号長評価送信制御回路１８は、変調モード決定回路１７によって選択された空間多重数、送信ウエイト、変調方式、符号化率を送信信号生成回路１２に出力する。この場合、ＭＣＳインデックスの変更や電力配分は行われることなく、ＭＵ−ＭＩＭＯ送信が行われる（ステップＳ３０６）。
【００５８】
一方、信号長評価送信制御回路１８によって選択されたＭＣＳインデックスが、変調モード決定回路１７によって選択されたＭＣＳインデックスと一致しない場合（ステップＳ３０３−ＹＥＳ）、信号長評価送信制御回路１８は、ＭＣＳインデックスの再設定として、自身が選択したＭＣＳインデックスに係る変調方式及び符号化率を送信信号生成回路１２及び電力配分制御回路１９に出力する（ステップＳ３０４）。電力配分制御回路１９は、信号長評価送信制御回路１８によって選択されたＭＣＳインデックスによるＳＮＲマージンに基づいて、変調モード決定回路１７によって決定された送信電力割り当てを変更し、各端末装置２への送信電力の配分を決定する（ステップＳ３０５）。そして、無線信号送受信回路１３は、電力配分制御回路１９によって決定された配分の送信電力に基づいて、ＭＵ−ＭＩＭＯ送信を行う（ステップＳ３０６）。また、図４において、ステップＳ３０５を用いず、変調モード決定回路１７で決定された送信電力割り当てをそのまま用いることもできる。
【００５９】
＜変形例＞
Ｐａｄｄｉｎｇのブロックにおいて、ダミー信号を挿入せずに、その部分の送信時間帯において送信処理を行わないように構成されても良い。
【００６０】
信号長評価送信制御回路１８は、上述したようなＭＣＳインデックス毎の相対的な信号長の比を表すテーブルを参照するのではなく、以下のようにしてＭＣＳインデックスを選択しても良い。まず、信号長評価送信制御回路１８は、最長信号長Ｄよりも短い各実データ部分信号について、ＭＣＳインデックス毎に、そのＭＣＳインデックスに基づいて実データ部分信号を生成した場合の信号長を算出する。そして、信号長評価送信制御回路１８は、実データ部分信号毎に、最長信号長Ｄよりも短い信号長の中で最も長い信号長となるＭＣＳインデックスを選択する。また、信号長評価送信制御回路１８が実際にどのような処理によってＭＣＳインデックスを選択するかは限定されない。
【００６１】
また、送信電力の割り当てを低下させると、ショート・トレーニング・シンボルやロング・トレーニング・シンボルの部分から受信電力が低下し、量子化誤差が増大する場合がある。そのため、電力配分制御回路１９は、図２から得られるＳＮＲマージンよりＸｄＢ分の補正を行い、各端末装置２への送信電力を予め変調モード決定回路１７で決定された送信電力割り当てより低下させても良い。このような処理により、変調方式の低下により得られるメリットを全ての端末装置２において享受できる。ｉ番目の端末装置２−ｉに得られたＳＮＲマージンがＱｉとすると、以下に示す式３によって得られる端末装置２−ｉへの送信電力が低減される。
【００６２】
【数３】
0005647085.tif 000004
【００６３】
なお、式３で得られる値の単位はｄＢである。ここで、Ｘを２ｄＢとし、図３の例で考えると、端末装置２−２ではＱ２＝１［ｄＢ］、端末装置２−３ではＱ３＝１１［ｄＢ］である。そのため、端末装置２−２への送信電力はＭａｘ(０，１−２）＝０ｄＢ、端末装置２−３への送信電力はＭａｘ（０，１１−２）＝９ｄＢとなる。したがって、端末装置２−２は送信電力を変更せず、端末装置２−３は送信電力を９ｄＢ低減できる。電力配分制御回路１９は、このような処理に基づいて、各送信信号に対して用いる送信電力を決定しても良い。
【００６４】
また、電力配分制御回路１９は、低減された送信電力を他の端末装置２に割り当てる場合に、受信側のアナログ・デジタル変換器でオーバーレンジが起こらないように、送信電力増大の最大値をＺ［ｄＢ］としても良い。
また、各端末装置に対しＭＣＳインデックスを変更することで得られたＳＮＲの一部を送信電力の低下量として用いることができる。例えば、図３の例で考えると、端末装置２−２では１［ｄＢ］、端末装置２−３では１１［ｄＢ］のＳＮＲマージンが得られる場合に、その半分、つまり端末装置２−２では、０．５[ｄＢ]、端末装置２−３では５．５[ｄＢ]だけ送信電力を予め変調モード決定回路１７で決定された送信電力割り当てより低下するようにしても良い。このように構成されることにより、端末装置２−２と端末装置２−３にＳＮＲマージンを残しつつ、端末装置２−１の送信電力を予め変調モード決定回路１７で決定された送信電力割り当てより高めることができる。
【００６５】
また、電力配分制御回路１９は、各端末装置２への送信電力の低減により、ＣＳＭＡ／ＣＡなどのキャリアセンスのプロトコルに問題を生じないように、送信電力の低減量の最大値をＶ［ｄＢ］としても良い。式３とＶの条件を組み合わせると、以下に示す式４のように送信電力の低減量を決定できる。
【００６６】
【数４】
0005647085.tif 000005
【００６７】
以上、この発明の実施形態について図面を参照して詳述してきたが、具体的な構成はこの実施形態に限られるものではなく、この発明の要旨を逸脱しない範囲の設計等も含まれる。
【符号の説明】
【００６８】
１…基地局（送信装置），  １１…データ選択・出力回路，  １２…送信信号生成回路（送信信号生成部），  １３…無線信号送受信回路（無線信号送信部），  １４−１〜１４−Ｎ…アンテナ，  １５…受信信号復調回路，  １６…チャネル情報記憶回路，  １７…変調モード決定回路（変調モード決定部），  １８…信号長評価送信制御回路（信号長評価部），  １９…電力配分制御回路（電力配分部），  ２−１〜２−Ｍ…端末装置
【図１】
0005647085.tif 000006
【図２】
0005647085.tif 000007
【図３】
0005647085.tif 000008
【図４】
0005647085.tif 000009
【図５】
0005647085.tif 000010
【図６】
0005647085.tif 000011